(57)【要約】【課題】空気調和機本体にフランジ部を設けることにより、曲げや撓みに対する強度向上を図ると同時に、より安価な製品コストで、空気調和機本体が天井裏空気と接する面における結露を防止する事が可能なカセット形の空気調和機を提供する。【解決手段】天井内に埋め込まれ、内部に熱交換器及び送風機を収容する空気調和機本体１と、吸い込みグリル２１及び吹き出し口２０ａを有し、空気調和機本体１の下面開口を覆う化粧パネル２とを備え、空気調和機本体１は板金で構成され、空気調和機本体１の下端は、空気調和機本体１の内側に折り曲げられて化粧パネル２にネジ固定されるフランジ部３を構成しており、フランジ部３は、化粧パネル２固定用のネジ穴１１ｄと、フランジ部３から天井裏空気と接する空気調和機本体１の側面板金（天井裏空気接面１１ａ）への熱伝達を防止するためのスリット穴１１ｅとを有するものである。【選択図】図１
2010223495.tif 000002
【特許請求の範囲】
【請求項１】
天井内に埋め込まれ、内部に熱交換器及び送風機を収容する空気調和機本体と、
吸い込み口及び吹き出し口を有し、前記空気調和機本体の下面開口を覆う化粧パネルとを備え、
前記空気調和機本体は板金で構成され、前記空気調和機本体の下端は、該空気調和機本体の内側に折り曲げられて前記化粧パネルにネジ固定されるフランジ部を構成しており、
該フランジ部は、前記化粧パネル固定用のネジ穴と、前記フランジ部から天井裏空気と接する前記空気調和機本体の側面板金への熱伝達を防止するためのスリット穴とを有することを特徴とする天井カセット形空気調和機。
【請求項２】
前記スリット穴が、前記フランジ部の長手方向に複数形成されていることを特徴とする請求項１記載の天井カセット形空気調和機。
【請求項３】
前記スリット穴が、前記フランジ部の長手方向に延びる単一の穴であることを特徴とする請求項１記載の天井カセット形空気調和機。
【発明の詳細な説明】
【技術分野】
【０００１】
この発明は、天井カセット形空気調和機の外郭板金構造に関するものである。
【背景技術】
【０００２】
天井に設けた穴を介して天井室内に埋め込まれる従来の天井カセット形空気調和機は、下方が開口した箱状の外郭板金で構成された空気調和機本体を有し、空気調和機本体の下方開口に略四角形状の化粧パネルが取り付けられた構成を有している。化粧パネルの対向する一対の辺には空気の吹き出し口が形成されており、空気調和機本体内には吹き出し口へと連通する風路が形成されている。そして、空気調和機本体内の空気は、空気調和機本体の風路を通過し、吹き出し口から室内へと送風される。そして、空気調和機本体において化粧パネルと接続される空気調和機本体の下端は内側に折曲されてフランジ部を構成しており、このフランジ部により、空気調和機本体に作用する捻りや撓みに対する強度を確保している。また、フランジ部には化粧パネルを固定するための化粧パネル固定用ネジ穴が設けられており、空気調和機本体と化粧パネルとはネジ止めにより固定されている（例えば、特許文献１参照。）
【先行技術文献】
【特許文献】
【０００３】
【特許文献１】実開昭５８−８７０１８号公報（第４頁、第１図）
【発明の概要】
【発明が解決しようとする課題】
【０００４】
従来の空気調和機では、上述したように、空気調和機本体において化粧パネルと接続される下端を内側に折曲してフランジ部を構成している。フランジ部は風路内に位置する為、冷房運転時には、その冷風によって冷却される。その為、熱伝達により、フランジ部の低温が空気調和機本体の側面に伝達され、空気調和機本体側面の温度が天井裏空気の露点以下まで低下すると、天井裏空気に接触している空気調和機本体側面の外面が結露してしまうといった問題点があった。
【０００５】
この結露対策としては、空気調和機本体側面の内面に断熱材を貼り付ける方法が有効である。しかしながら、この方法をとることにより、製品コストの上昇や、製品サイズが大きくなる事による施工性の悪化を招く。また、断熱材を用いた場合、その分、風路が狭められて空力性能が悪化する。よって、断熱材の厚みをできるだけ薄くして用いることが好ましい。
【０００６】
この発明は、上記のような課題を解決するためになされたもので、空気調和機本体にフランジ部を設けることにより、曲げや撓みに対する強度向上を図ると同時に、より安価な製品コストで、空気調和機本体が天井裏空気と接する面における結露を防止する事が可能な天井カセット形空気調和機を提供することを目的とするものである。
【課題を解決するための手段】
【０００７】
この発明に係る天井カセット形空気調和機は、天井内に埋め込まれ、内部に熱交換器及び送風機を収容する空気調和機本体と、吸い込み口及び吹き出し口を有し、空気調和機本体の下面開口を覆う化粧パネルとを備え、空気調和機本体は板金で構成され、空気調和機本体の下端は、空気調和機本体の内側に折り曲げられて化粧パネルにネジ固定されるフランジ部を構成しており、フランジ部は、化粧パネル固定用のネジ穴と、フランジ部から天井裏空気と接する空気調和機本体の側面板金への熱伝達を防止するためのスリット穴とを有するものである。
【発明の効果】
【０００８】
この発明によれば、フランジ部を形成した為、曲げ加工が全くされていない場合と比べ断面２次モーメントが大きく、長手方向の捻れや撓みに対して、必要十分な強度を有することが可能である。
また、フランジ部を形成したことにより化粧パネル固定用のネジ穴を設けることが可能である為、例えばネジ穴を施した別部材を空気調和機本体に溶接やネジ固定する場合に比べて、より安価な製品コストで据付け性を維持することが可能である。
さらに、フランジ部に熱伝達防止用のスリット穴を設けたため、冷房運転時において、冷気と接触することにより冷却されたフランジ部の低温が、天井裏空気と接する空気調和機本体の側面板金へ熱伝達するのを防止できる。よって、天井裏空気が高温、多湿な条件の場合においても、側面板金が冷却される為に生じる結露を防止する事が可能である。
【図面の簡単な説明】
【０００９】
【図１】この発明の一実施の形態における空気調和機本体及び化粧パネルの全体の構成を示す概略斜視図である。
【図２】図１の空気調和機本体の吹き出し口周辺構造を示す拡大断面図である。
【図３】図１の空気調和機本体の吹き出し口周辺構造を示す拡大斜視図である。
【発明を実施するための形態】
【００１０】
図１は、この発明の一実施の形態における空気調和機本体及び化粧パネルの全体の構成を示す斜視図である。図２は、図１の空気調和機本体の吹き出し口周辺構造を示す拡大断面図である。図３は、図１の空気調和機本体の吹き出し口周辺構造を示す拡大斜視図である。
各図において、空気調和機の外郭筐体は、下方が開口した箱状を成す空気調和機本体１と、空気調和機本体１の下面開口を覆う略四角形状の化粧パネル２とを備えている。空気調和機本体１は複数の板金を組み立てて構成されており、内部には熱交換器や送風機等が収納されている。
【００１１】
化粧パネル２は、外周の四辺のうちの一辺側に、その一辺方向に延びるように形成された吹き出し口２０ａと、吹き出し口２０ａからの吹き出し空気の風向きを調整する上下風向調整ベーン２０とを備えている。また、化粧パネルの前記一辺と対向する他辺側には吸込みグリル２１が設けられている。
【００１２】
空気調和機本体１の４面の側面板金のうち、化粧パネル２の吹き出し口２０ａ側の側面板金（以下、この側面板金を吹き出し口側外郭板金という）１１の下端は、空気調和機本体１の内側に一旦Ｌ字状に曲げ加工された後、更にその先端がＬ字状に曲げ加工され、断面略コ字状に形成されている。これにより、吹き出し口側外郭板金１１は、外面側から順に、天井裏空気接面１１ａ、化粧パネル２に接する化粧パネル接面１１ｂ及び吹き出し空気接面１１ｃの３面が形成されている。このように、吹き出し口側外郭板金１１の下端を折り曲げてフランジ部３を形成することにより、空気調和機本体に作用する捻りや撓みに対する強度を確保している。
【００１３】
吹き出し口側外郭板金１１の化粧パネル接面１１ｂには、化粧パネル固定用のネジ穴１１ｄが複数設けられており、このネジ穴１１ｄと化粧パネル固定用のネジ１２により化粧パネル２が化粧パネル接面１１ｂに取り付けられている。化粧パネル接面１１ｂには更に、熱伝達防止用の長穴状のスリット穴１１ｅが長手方向に複数設けられている。
【００１４】
吹き出し空気接面１１ｃは吹き出し口２０ａに面しており、冷房運転時に吹き出し口２０ａから吹き出される冷気の影響を受ける。このため、その影響が天井裏空気接面１１ａに及ばないように化粧パネル接面１１ｂにスリット穴１１ｅを設けている。なお、空気調和機本体１において吹き出し口側外郭板金１１と対向する側面板金の下端も、強度確保の面から、内側に曲げ加工されてフランジ部４が形成されているが、このフランジ部４は冷気の影響を受けないため、スリット穴１１ｅは設けていない。また、吹き出し口側外郭板金１１の内面側には天井裏空気接面１１ａの結露を防止するための例えば発泡スチロールなどの材料で形成された断熱材１３が設けられている。
【００１５】
次に、空気調和機の外郭筐体の作用について説明する。
以上のように構成された空気調和機の外郭筐体においては、冷房運転時に、送風機１３が作動することにより、吸い込みグリル２１から吸い込まれた空気（一次空気）は、熱交換機（図示せず）を通過する際に冷却され、１次空気よりも温度の低い状態となる。温度が低下した空気は、化粧パネル２の上下風向調整ベーン２０により案内されて吹き出し口２０ａから室内へと吹き出される。その際、吹き出し口側外郭板金１１の吹き出し空気接面１１ｃは、吹き出し空気と接する事により冷却される。その為、熱伝達により吹き出し口側外郭板金１１の天井裏空気接面１１ａも冷却されるが、化粧パネル接面１１ｂにはスリット穴１１ｅが設けられているため、化粧パネルへの熱伝達が抑制される。この為、天井裏空気が高温、多湿といった条件であっても、天井裏空気接面１１ａが露点以下まで冷却されず、天井裏空気接面１１ａにおける結露を防止する事が可能である。
【００１６】
以上のように、空気調和機本体１の吹き出し口側外郭板金１１の下端を内側に曲げてフランジ部３を形成した為、曲げ加工が全くされていない場合と比べ断面２次モーメントが大きく、長手方向の捻れや撓みに対して、必要十分な強度を有することが可能である。また、本例においては、一旦Ｌ字状に曲げ加工した後、更にその先端をＬ字状に曲げ加工して断面略コ字状に形成した為、更に高い強度が得られている。
【００１７】
また、吹き出し口側外郭板金１１の化粧パネル接面１１ｂに化粧パネル固定用のネジ穴１１ｄを設けることが可能である為、例えばネジ穴を施した別部材を吹き出し口側外郭板金１１に溶接やネジ固定する場合に比べて、筐体を大型化せずにより安価な製品コストで据付け性を維持することが可能である。また、ネジ穴を施した別部材を断熱材１３に一体成形する場合などと比べても、同様に筐体を大型化せずにより安価な製品コストで据付け性を維持することが可能である。
【００１８】
また、吹き出し口側外郭板金１１の吹き出し空気接面１１ｃは、冷房運転時において、吹き出し空気と接することにより冷却される。しかしながら、本例では、化粧パネル接面１１ｂにスリット穴１１ｅを設け、化粧パネル接面１１ｂ及び吹き出し空気接面１１ｃの低温が天井裏空気接面１１ａ側に熱伝達するのを防止するようにした。この為、天井裏空気が高温、多湿な条件の場合においても、天井裏空気接面１１ａが冷却される為に生じる結露を防止する事が可能である。したがって、結露対策として、例えば断熱材１３の厚みを厚くして断熱性を高める対策などと比べて、より安価な製品コストで、結露を防止することができる。
【００１９】
なお、本例では、複数のスリット穴１１ｅを間隔を空けて設けた例を示しているが、長手方向全体に延びる一つの長穴としてもよい。この場合も同様の効果が得られる。
【００２０】
また、本実施の形態では、吹き出し口２０ａが化粧パネル２の外周４辺のうちの一辺側に配置され、吸い込みグリル２１が他辺側に配置された空気調和機を示したが、本発明は吹き出し口が化粧パネルの外周４辺の各辺側に配置され、その中央部に吸い込みグリルが配置されたタイプの空気調和機にも適用できる。この場合、各吹き出し口に面するそれぞれのフランジ部にスリット穴を設ければよい。
【符号の説明】
【００２１】
１  空気調和機本体、２  化粧パネル、３  フランジ部、４  フランジ部、１１  吸い込み口側外郭板金、１１ａ  天井裏空気接面、１１ｂ  化粧パネル接面、１１ｃ  吹き出し口空気接面、１１ｄ  ネジ穴、１１ｅ  スリット穴、１２  ネジ、１３  断熱材、１４  送風機、２０  上下風向調整ベーン、２０ａ  吹き出し口、２１  吸い込みグリル。
【図１】
2010223495.tif 000003
【図２】
2010223495.tif 000004
【図３】
2010223495.tif 000005